(57)【要約】      （修正有）【課題】    アナログ式のレコード盤の演奏で得られる信号に基づきＣＤ等のディジタルデータで記録された音声信号をアナログで対応付けて出力させるディジタルオーディオ再生システムにおいて、レコード盤の演奏で針飛びが生じた場合でもこの針飛びに対応して前記音声信号が得られることを目的とする。【解決手段】  レコード盤２をピックアップされる部位の位置、回転の方向及び回転の速さを示すアナログ信号が二つのチャンネルで生成する構成とし、ピックアップ手段６がレコード盤２からその演奏の部位の位置、回転の方向、回転の速さ及び演奏開始からの時間を示すデータをピックアップし、ＣＰＵ１５はＤＳＰ２１を介してそれらのデータに基づいてＣＤプレーヤ装置１８で再生のディジタル音声信号をＤ／Ａ変換部２３を経て出力するように制御すると、出力のアナログ信号はレコード盤２のピックアップ位置に追従する。【選択図】      図１
2005159721.tif 000002
【特許請求の範囲】
【請求項１】
所定の信号が記録されたレコード盤を再生演奏してアナログ信号を出力するレコードプレーヤ装置と、
そのレコードプレーヤ装置によって前記レコード盤からピックアップされ、入力されるアナログ信号に基づき前記レコード盤のアナログ信号をピックアップした部位の位置、演奏の方向及び演奏の速さを検出する検出手段と、
記録媒体からディジタル音声データを読み出し、前記アナログ信号のピックアップされたレコード盤の部位の位置、演奏の方向及び演奏の速さに対応させてディジタル音声データの出力を制御して、そのディジタル音声データをアナログ信号として出力するディジタルオーディオ再生手段と、
が備えられてなるディジタルオーディオ再生システム。
【請求項２】
所定の信号が記録されたレコード盤がアナログプレーヤ装置で演奏されてアナログ信号がピックアップされ、入力されるそのアナログ信号に基づいて前記レコード盤のアナログ信号がピックアップされた部位の位置、演奏の方向及び演奏の速さを検出する検出手段と、
記録媒体からディジタル音声信号を読み出す再生手段と、
その再生手段から読み出されたディジタル音声データを、前記検出手段で検出されたアナログ信号のピックアップされた位置、演奏の方向及び演奏の速さに対応させて出力するように制御する制御手段と、
その制御手段からの制御信号に基づき、前記再生手段で読み出されたディジタル音声データをアナログ音声信号として出力する出力手段と、
が備えられてなるディジタルオーディオ再生装置。
【請求項３】
記録媒体からディジタル音声データが読み出され、レコードプレーヤ装置からの再生演奏によって生成されるアナログ信号に基づいて、アナログ音声が制御されて出力されるディジタルオーディオ再生システムに使用されるレコード盤であって、
レコードプレーヤ装置に載置され回転されてピックアップ手段と摺動することによって演奏されると、その演奏でピックアップされる部位の位置、回転される方向及び回転される速さを示すためのアナログ信号が二つのチャンネルで生成するように音溝が形成されてなるレコード盤。
【請求項４】
音溝によって生成されるアナログ信号の二つのチャンネルのうちいずれか一方に、記録媒体のディジタル音声データの最小再生単位に対応された時間的な長さにフレーム化された、ピックアップされる部位の位置を示す位置情報が配設され、且つ、その位置情報を示す信号が再生されて波形成形された際に、各フレームに対応する信号のデータにおいて真中を中心に折り返すと合致して重なり合うように構成されてなるを特徴とする請求項３に記載のレコード盤。
【発明の詳細な説明】
【技術分野】
【０００１】
本発明は、レコードプレーヤ装置のピックアップ手段が回転中のレコード盤本体に摺動することで音声信号をピックアップし、演奏者がレコード盤に所望の回転の速さ、所望の回転の方向で演奏することでそれらに対応して音声信号のピックアップが行われるレコード盤のスクラッチレコード演奏のように、記録媒体が例えばコンパクトディスク（以下、『ＣＤ』と称する。）といったディジタル信号を再生演奏する場合において同様なスクラッチ演奏等が可能なディジタルオーディオ再生システム、ディジタルオーディオ装置及びレコード盤に関する。
【背景技術】
【０００２】
レコード盤をレコードプレーヤ装置のターンテーブル上に載置し、演奏者がレコード盤あるいはターンテーブルを手動で回転させることにより、その回転の速さあるいは回転の方向等を任意に変更することで本来のレコード演奏とは異なった音声出力を得るレコードの演奏方法、いわゆるスクラッチレコード演奏が知られている。
又、今日では、レコード盤に代ってＣＤ等のディジタル式の記録媒体の再生が一般的になって来ている。又、これに伴い、新しいレコード盤の製造が激減して入手が困難にもなって来ている。つまり、記録媒体はディジタル式のものが主流であって、スクラッチ演奏においてもディジタル式の記録媒体の使用を強く考えることが求められている。
【０００３】
しかしながら、アナログレコードとディジタル式の記録媒体では再生の仕方が大きく異なっていて、ＣＤを再生する場合では演奏者はそのＣＤをレコード盤と同様の取り扱いによってスクラッチ演奏を得ることはできず、結果的に、ディジタル式の記録媒体の再生ではアナログレコードのような感覚でスクラッチ演奏を行うことができないという問題があった。
【０００４】
斯かる問題を解決するために、本願発明の発明者の一人は、記録媒体がディジタル式のものであっても、演奏者が演奏慣れしているレコード盤を使用したスクラッチ演奏を行い得るディジタルオーディオ再生装置及びディジタルオーディオ再生システム並びにディジタルオーディオ再生システム用のレコード盤を想到した。
つまり、下記の文献に示す通りである。
【０００５】
【特許文献１】特開２００３−２３３９４６
【発明の開示】
【発明が解決しようとする課題】
【０００６】
同特許公開公報で開示された発明に従えば、音声信号を生成するための記録媒体がアナログ式のレコード盤ではなくＣＤ等のディジタル式のものであっても、演奏者が使用に慣れ親しんだ任意のレコードプレーヤ装置のターンテーブル上でスクラッチ演奏の操作を行い、その演奏操作によってＣＤ等からのディジタル式の音声信号が連動して出力されるという効果が得られている。
【０００７】
同特許公開公報で開示された発明では、レコード盤がピックアップ手段に対して相対的に摺動することでに演奏位置（レコード盤から信号をピックアップしている部位の位置）を示すための信号を生成し、且つ、この演奏の部位を示すための信号は周期性のものを採用した構成になっている。
【０００８】
斯かる構成では、連続した信号をピックアップしている際には、その連続した範囲内でレコード盤を逆方向に回転、緩急を付けた回転をさせた場合、それに対応して演奏位置を示す信号が制御信号となってディジタルオーディオ再生装置に出力される。
よって、この制御信号に基づきディジタルオーディオ再生装置はＣＤのディジタルデータを前記逆方向に回転、緩急を付けた回転に対応させてスクラッチ演奏のようにディジタル信号を再生出力することが得られている。
【０００９】
しかしながら、同特許公開公報で開示された発明のレコード盤は周期性の演奏位置を示すための信号を生成する構成であるから、例えば、演奏中にピックアップ手段がレコード盤から飛び上がりその後音溝の周を飛び越えて針が降りるいわゆる針飛びが生じた場合であっても、レコード盤のアナログ信号のピックアップ部位とＣＤの音声データの出力すべき部位（フレーム）が対応しておらず、結果的に、ＣＤからの音声データは針の位置に対応せずに出力されるという問題が生じる。
【００１０】
又、針飛びが生じた際、ピックアップ手段の針部が宙に浮くが、その針部が宙に浮いている間は針部は位置を示すための信号をピックアップすることができず、その間はディジタルオーディオ再生装置に演奏すべき位置を示すための制御信号が送られず、よって、ディジタルオーディオ再生装置は演奏（ＣＤの再生）が停止することになる。
そうして、レコード盤は針部が宙に浮いている間であっても回転を続けており、針部がレコード盤に降りて再び位置を示す信号をピックアップすると、ここでピックアップされる信号は飛んで抜かした部分をキャンセルしたものになっている。
【００１１】
よって、ディジタルオーディオ再生装置はその信号を針部が宙に浮かぶ直前の制御信号と繋げて判断して演奏するために、演奏者が針飛びがあって音声信号が不連続になっていると受け取っているにも拘わらず、ディジタルオーディオ再生装置が一時停止を挟んで連続的に演奏を続けることになる。
従って、結果的に、制御信号を送る側のピックアップ手段の信号ピックアップとディジタルオーディオ再生装置の演奏であるＣＤの再生が互いに対応付かないという問題が生じていた。
【００１２】
本発明は上述した問題点に鑑みてなされたものであって、アナログ式のレコード盤の演奏によって得られる信号に基づいてディジタルデータで記録された音声信号を対応付けて出力させるディジタルデータの音声信号を再生させるシステムにおいて、レコード盤の演奏時に針飛びが生じた場合であってもこの針飛びに対応してディジタルデータで記録された音声信号が再生され得るディジタルオーディオ再生システム、ディジタルオーディオ再生装置及びレコード盤の実現を目的とするものである。
【課題を解決するための手段】
【００１３】
この発明は、レコード盤の演奏によって得られるアナログ信号に基づいてディジタルデータで記録された音声信号を対応付けて再生出力させることにおいて、演奏中のレコード盤の演奏部位の位置、回転の方向、回転の速さ及び演奏開始からの時間を示すデータがピックアップされると、レコード盤の演奏位置に追従するように、ピックアップされたそれらのデータに基づいてディジタル音声信号がＤ／Ａ変換されて出力するように制御する構成としたディジタルオーディオ再生システム、ディジタルオーディオ再生装置及びレコード盤である。
【００１４】
その詳細な構成の一は、所定の信号が記録されたレコード盤を再生演奏してアナログ信号を出力するレコードプレーヤ装置と、そのレコードプレーヤ装置によって前記レコード盤からピックアップされ、入力されるアナログ信号に基づき前記レコード盤のアナログ信号をピックアップした部位の位置、演奏の方向及び演奏の速さを検出する検出手段と、記録媒体からディジタル音声データを読み出し、前記アナログ信号のピックアップされたレコード盤の部位の位置、演奏の方向及び演奏の速さに対応させてディジタル音声データの出力を制御して、そのディジタル音声データをアナログ信号として出力するディジタルオーディオ再生手段と、が備えられてなるディジタルオーディオ再生システムである。
【００１５】
斯かる構成のディジタルオーディオ再生システムは、レコード盤のアナログ信号をピックアップした部位の位置、演奏の方向及び演奏の速さを検出手段が検出し、その検出されたレコード盤のピックアップした部位の位置、演奏の方向及び演奏の速さに対応させてディジタル音声データの出力を制御してアナログ信号として出力するから、レコードプレーヤ装置において音飛びが生じると、その音飛びに対応したディジタル音声データがアナログ信号として出力される。
【００１６】
その詳細な構成の二は、所定の信号が記録されたレコード盤がアナログプレーヤ装置で演奏されてアナログ信号がピックアップされ、入力されるそのアナログ信号に基づいて前記レコード盤のアナログ信号がピックアップされた部位の位置、演奏の方向及び演奏の速さを検出する検出手段と、記録媒体からディジタル音声信号を読み出す再生手段と、その再生手段から読み出されたディジタル音声データを、前記検出手段で検出されたアナログ信号のピックアップされた位置、演奏の方向及び演奏の速さに対応させて出力するように制御する制御手段と、その制御手段からの制御信号に基づき、前記再生手段で読み出されたディジタル音声データをアナログ音声信号として出力する出力手段と、が備えられてなるディジタルオーディオ再生装置である。
【００１７】
斯かる構成のディジタルオーディオ再生装置は、レコードプレーヤ装置からのアナログ信号に基づき、検出手段がその信号のピックアップの部位の位置、演奏の方向及び演奏の速さを検出し、その検出結果であるピックアップの部位の位置、演奏の方向及び演奏の速さに対応させて、再生手段が読み出されたディジタル音声データをアナログ信号として出力するように制御手段が制御する。
よって、ディジタルオーディオ再生装置は、レコードプレーヤ装置において音飛びが生じると、その音飛びに対して検出手段がその音飛びに対応したピックアップの部位の位置、演奏の方向及び演奏の速さを検出し、その検出結果に対応して制御手段はディジタル音声データをアナログ信号として出力させるように作用する。
【００１８】
その詳細な構成の三は、記録媒体からディジタル音声データが読み出され、レコードプレーヤ装置からの再生演奏によって生成されるアナログ信号に基づいて、アナログ音声が制御されて出力されるディジタルオーディオ再生システムに使用されるレコード盤であって、レコードプレーヤ装置に載置され回転されてピックアップ手段と摺動することによって演奏されると、その演奏でピックアップされる部位の位置、回転の方向及び回転の速さを示すためのアナログ信号が二つのチャンネルで生成するように音溝が形成されてなるレコード盤である。
【００１９】
斯かる構成のレコード盤は、レコードプレーヤ装置によって演奏されるとその演奏の部位、つまりピックアップ手段が摺動している部位の位置、回転の方向及び回転の速さを示すためのアナログ信号が生成されるから、レコードプレーヤ装置において音飛びが生じるとその音飛びの後に針が降りた部位をピックアップ手段が摺動している部位としてその部位の位置、回転の方向及び回転の速さを示すためのアナログ信号をピックアップ手段の摺動によって生成する。
【００２０】
ここで、本発明の問題を解決するための手段では、ディジタル式の記録媒体の再生している位置とレコードプレーヤ装置で演奏（ピックアップ）しているレコード盤の部位が対応していることが必要である。
そうして、斯かる対応を可能にするには具体的に、記録媒体及びレコード盤が共通する絶対時間を示す信号を配設され、演奏時のレコード盤の絶対時間に再生対象の記録媒体の絶対時間が対応して演奏されることが必要である。
然るに、記録媒体は一般的に絶対時間を示す信号が配設されている。よって、レコード盤に、ピックアップ手段との摺動でそのピックアップの部位の位置を示すように絶対時間（絶対位置）を示すための信号をカット（記録）することになる。
【００２１】
更に、レコード盤に付設した絶対時間を示す信号が記録媒体に予め付設されている絶対時間に対応付くことが確保されるためには、絶対時間を示すためにレコード盤に配設する信号は記録媒体のディジタル音声データの最小再生単位に対応された時間的な長さのフレームを単位とするフレーム化が最も好適である。
斯かる構成によって、ピックアップ手段がレコード盤に対して相対的に摺動することでピックアップから演奏進行上の絶対的な位置を示す信号が生成され、且つ、この生成される信号と記録媒体のディジタル信号は対応付くことになる。
【００２２】
他方、レコード盤に記録し得る信号は、ピックアップ手段がピックアップ特性を有していることから音声帯域に限られる。
又、スクラッチ演奏者がアナログレコード盤の演奏によってディジタル式の記録媒体の再生演奏を時間式に対応付け、ディジタル式の記録媒体の再生演奏を可能な限りアナログレコード盤の再生演奏に近似させるためには、レコード盤はスクラッチ演奏時等であっても時間を示すデータを得られることが必要である。
同様に、スクラッチ演奏を行った際、レコード盤からの時間を示す信号（時間データ）に対して記録媒体の再生演奏がより一層短い時間で追従すること（対応付くこと）が必要であり、更に、レコード盤の時間データへの記録媒体の再生演奏の追従は正確であることが必要である。
【００２３】
しかしながら、上述した構成のディジタル信号再生システムにおいて、再生演奏の際にレコードプレーヤ装置で針飛びが生じた場合にはピックアップ手段が演奏部位を示すための信号の出力を一旦停止し、続いて針がレコード盤に降りて再生演奏が再開されるとピックアップ手段から演奏部位を示すための信号が出力され、この信号に基づいてディジタルオーディオ再生装置は結果的に記録媒体からのディジタルオーディオのデータをアナログ音声として出力されることになる。
この際、レコード盤からの演奏部位を示すための信号は途中で途切れと、次に針が降りて再生演奏の再開で生成する信号は途切れる直前部分とは連続性のない部位に対応する信号となるので、針飛びの後に針が降りて摺動してピックアップする際の部位の部位を確実に検出するには、少なくとも記録媒体において２フレーム分以上に相当する距離の摺動（ピックアップ）が必要になる。
【００２４】
つまり、針飛びの後に針が降りたレコード盤上の部位は記録媒体において通常フレームの両端ではなく中間点に対応する点であって、その点から１フレーム分に対応する距離だけレコード盤とピックアップ手段が相対的に摺動することで隣接のフレームに対応する部位に到り、ここで初めて針が降りたレコード盤上の部位（フレーム対応部位）の位置を知ることができる。
しかしながら、ここで知り得た針が降りたレコード盤上の部位は、レコード盤のキズ、塵埃、外来ノイズ等によって、確かにその部位が実際に針が降りた部位であるという保証はない。
【００２５】
そこで、検出された部位が実際に針が降りた部位であることを確実にする必要から、更にもう１フレーム分に対応する距離だけレコード盤とピックアップ手段が相対的に摺動させることによって、つまり記録媒体において連続２フレーム分に対応する摺動の位置を示す信号をピックアップすることによって、ピックアップ手段の摺動している部位の位置の検出を確実にさせることが可能になる。
【００２６】
従って、レコード盤に単に同期式のシリアルデータを出力するための信号がカットされていて、それから得られるピックアップの係合部位の位置を示す情報では、斯かる構成ではディジタルデータに対応させてフレーム毎に位置決めされるので、針飛びの後に針が降りた部位の位置を確実に得るには対応する連続する少なくとも２フレーム分以上に対応する距離だけレコード盤とピックアップ手段が相対的に摺動することが必要となる。
【００２７】
然るに、針飛びが生じて針が降りた際の位置を確実に得るために連続する少なくとも２つのフレーム分に対応する距離だけレコード盤とピックアップ手段を相対的に摺動させて信号を生成させると、それに対応するだけ時間（ピックアップ手段が音溝と相対的に摺動するための演奏時間）が必要となる。
つまり、その時間の間だけディジタルオーディオの再生演奏が実質的に停止することになり、スクラッチ演奏の演奏者は意図した針飛びの時間にタイムラグが生じ、思った通りの演奏を行うことがし難いという問題が生じることになる。
【００２８】
又、上記構成のディジタル信号の再生演奏のシステムは、スクラッチ演奏でレコード盤を逆方向に回転する場合において、ピックアップ手段からの演奏部位を示すための信号を逆方向で読取ることになり、ＣＰＵに送られる位置データの並びは逆になる。
ここで、ＣＰＵはその逆並びの位置データを新たな位置データの並びとして判断するために、レコード盤の逆向き回転で対応する位置ではなく逆並びの位置データと同じ位置データに対応するレコード盤の部位と認識して、結果的にその位置データの並びに対応するアナログ音声データを出力するように制御の信号を出力する。
【００２９】
つまり、上記の構成のディジタル信号再生システムは、針飛びの後に針が降りたレコード盤上の部位の位置を得るには多くの時間を必要とし、又、スクラッチ演奏でレコード盤を逆回転した際には針が摺動している部位をＣＰＵが誤って認識し結果的に対応していない部位のアナログ音声を出力するという問題が生じる。
【００３０】
そこで、本発明の発明者は、斯かる二つの問題に対しても鋭意工夫を行い、針飛びの後のレコード盤上の針が降りた部位の位置を短い時間で得るようにし、且つ、レコード盤が逆回転した際であっても針が摺動している部位をＣＰＵが正しく認識して結果的に対応する部位のアナログ音声を出力させ得るディジタル信号再生システムを想到した。
【００３１】
つまり、レコード盤にはピックアップされる部位の位置を示す位置情報が配設され、且つ、再生すべきディジタル記録媒体の各フレームに対応するその位置情報を示す信号の並びをそれぞれのフレームに対応するデータにおいて真中を中心に折り返すと合致して重なり合うように構成されてなることを特徴とするレコード盤を発明するに到った。
尚、位置情報を示す信号、つまりレコード盤からピックアップされる信号の形状は正弦波若しくはそれに類する形状となるが、レコード盤からピックアップされる信号は検出手段で波形成形された際には、実質的に、各フレームの真中を中心に折り返すと重なり合うものも含むものを意味する。
【００３２】
斯かる構成により、ピックアップ手段とレコード盤の相対的な摺動によるレコード盤からの信号のピックアップでは、針飛びの後に針が降りた際、記録媒体において各フレームが真中を中心に信号の配列が対称になる構成にさせたことにより１／２フレームに対応する分だけレコード盤から位置情報をピックアップすると針が降りたその部位を知ることができ、更に１／２フレームつまり１フレーム分に対応するだけレコード盤から位置情報をピックアップすると、針が降りたその部位を得るがその際にその部位が正しくその位置であることの確からしさを確保することが可能になる。
又、レコード盤が逆回転した場合であっても、同様に、ＣＰＵがその時のレコード盤の針の摺動の位置を知ることができる。
【００３３】
第四の詳細な構成及びその作用は、上述した通りである。
【発明の効果】
【００３４】
この発明は、アナログレコードプレーヤにてスクラッチレコード演奏により再生されたレコード盤からピックアップされたアナログ信号の波形によりレコード盤の演奏の方向及び演奏の速さを検出し、この演奏の方向及び演奏の速さに応じて記録媒体からのディジタル音声データを変換し、変換されたディジタル音声データをアナログ音声信号として出力するため、演奏者が慣れ親しんだ任意のレコードプレーヤ装置のターンテーブルの上でスクラッチレコード演奏の操作を行った場合に、その演奏操作に連動してコンパクトディスクなどのディジタル式の記録媒体の再生を行うことが可能なディジタルオーディオ再生システム、ディジタルオーディオ再生装置及びレコード盤である。
【００３５】
又、レコード盤に配設されるピックアップされる部位の位置を示すための情報が再生すべきディジタル記録媒体の各フレームに対応するその位置情報を示す信号の並びをそれぞれのフレームに対応するデータにおいて真中を中心に折り返すと合致して重なり合うように構成させたことにより、針飛びの後に針がレコード盤に降りた際に、１／２フレームに対応する分だけレコード盤から位置情報をピックアップすると針が降りたその部位を知ることができ、更に１／２フレームつまり１フレーム分に対応するだけレコード盤から位置情報をピックアップすると、針が降りたその部位を得るがその際にその部位が正しくその位置であることの確からしさを確保することが可能になっており、レコード盤が逆方向の回転の場合でもＣＰＵがその時のレコード盤の針の摺動の位置を知ることができる。
【００３６】
つまり、針飛びから針が降りて来てレコード盤からピックアップしている部位の位置及び回転の方向を確実に知る際に、検出のための時間を短く済ますことができるので、スクラッチ演奏の演奏者はレコード盤の操作とディジタルオーディオ再生をタイムラグの少ない状態で演奏に追従することが可能になっている。
【発明を実施するための最良の形態】
【００３７】
以下において図面に基づき、本発明の実施の形態例を詳細に説明する。しかし、この形態例によって本発明が限定されるものではない。
最初に、理解し易いように図面について説明を行う。
図１は、本発明の実施の一形態例のディジタルオーディオ再生システムの電気的な構成を示す機能ブロック図である。
図２は、図１に示す実施の形態例のディジタルオーディオ再生システムの構成を示す斜視図である。
図３は、図１に示す実施の形態例のディジタルオーディオ再生システムの動作を説明するフローチャート図である
図４は、図３に示すフローチャート図において、「タイムコードに誤りがないか？」のサブルーチンを説明するフローチャート図である。
図５は、図１に示す実施の形態例のディジタルオーディオ再生システムにおいて、レコード盤からのアナログ信号の波形の形状を示す構成説明図である。
図６は、図１に示す実施の形態例のディジタルオーディオ再生システムにおいて、レコード盤からのアナログ信号が検出部においてコンパレータを経た後に得られる波形の形状を示す構成説明図である。
図７は、図１に示す実施の形態例のディジタルオーディオ再生システムにおいて、レコード盤からのアナログ信号が検出部においてコンパレータを経た後に得られる波形の形状の特徴を模式的に示す構成説明図である。
【００３８】
ディジタルオーディオ再生システムであるオーディオ装置１は、レコード盤２と、レコードプレーヤ装置３と、検出手段4と、再生手段５を備えて構成されている。
【００３９】
レコード盤２は、レコードプレーヤ装置３に載置され回転されてピックアップ手段６と相対的に摺動することによって演奏されると（図１及び図２を参照）、その演奏でピックアップされる部位の位置、回転の方向及び回転の速さを示すためのアナログ信号が二つのチャンネルで生成するように音溝が形成されているものである。
レコード盤２は、回転されて演奏する際にその演奏の方向及び演奏の速さを検出するために、左チャンネルと右チャンネルとで異なる位相のパルス状の信号が記録されている。
【００４０】
尚、左チャンネルと右チャンネルとの信号の位相差が１８０度となっていると演奏の方向を検出することができない。又、位相差が０度もしくは３６０度に近い場合であっても演奏の方向の検出が困難になる。よって、斯かる事情に基づき、９０度もしくは２７０度程度の位相差となるような単信号を出力させる、例えば正弦波或いはそれに対応するＰＷＭの信号が記録（カッティング）されていることになる。
【００４１】
又、レコード盤２がレコードプレーヤ装置３を用いて再生演奏することで生成されるアナログ信号は、再生手段５が再生すべき記録媒体であるＣＤからディジタル音声データを読み出して結果的にアナログ音声の出力を行う際に、そのアナログ音声の出力を制御するためのものである。
つまり、ＣＤにはそれに記録されているディジタル信号が再生される際にその位置を時間で示すための時間データが記録されているが、レコード盤２には前記時間データと対応する時間データが対応付けられて記録されている（音溝のカット）。
【００４２】
時間データの構成についての詳細は、レコード盤２の上記音溝によって生成されるアナログ信号の二つのチャンネルのうちいずれか一方に、ＣＤのディジタル音声データの最小再生単位に対応させた時間的な長さにフレーム化され、ピックアップされる部位の位置を示す位置情報が配設され、且つ、その位置情報を示す信号が少なくとも再生されて波形成形された際に、各フレームに対応するデータおいて真中を中心に折り返すと実質的に合致して重なり合うように構成されている。
【００４３】
ここで、少なくとも再生されて波形成形された際に、各フレームに対応するデータにおいて真中を中心に折り返すと実質的に合致して重なり合う構成とは、レコード盤２をカットすることによって音溝を形成するが、得られる音溝の形状はカットの精度上必ずしも真中を中心に折り返すと合致して重なり合うように簡単に形成できるものではない。
そこで、レコード盤２からのアナログ信号が波形加工されて得られる矩形は、設定した比較レベル以上であるか否かによってそれぞれ１か０に二別する。
【００４４】
レコードプレーヤ装置３はオーディオ装置１の上部に配設されており、レコード盤２を載置して回転させるためのターンテーブル７と、ピックアップ手段６がレコード盤２と相対的に摺動して信号をピックアップするように保持するためのアーム８が備えられている。
尚、レコードプレーヤ装置３は通常の構成のレコード用のプレーヤ装置であって、通常のアナログレコードの演奏が可能になっている。
又、レコードプレーヤ装置３の天板に、操作パネル９が配設されている。
【００４５】
検出手段４は、再生手段５に包含されており、レコードプレーヤ装置３がレコード盤２を演奏してピックアップ手段６がアナログ信号を出力すると、その信号を入力してピックアップ手段６がレコード盤２からアナログ信号をピックアップした部位の位置、演奏の方向及び演奏の速さを検出するためのものである。
検出手段４は、アンプ１０と、方向検出部１１と、移動量検出部１２と、速さ検出部１３、タイムコード検出部１４及びＣＰＵ１５を備えて構成されている。
【００４６】
アンプ１０は、ピックアップ６と検出手段４の間に介在され、ピックアップ手段６がレコード盤２からピックアップしたアナログ信号を、方向検出部１１と、移動量検出部１２と、速さ検出部１３及びタイムコード検出部１４がそれぞれ検出し易いレベルに増幅するためのものである。
【００４７】
方向検出部１１は、ＣＰＵ１５と共働して、ピックアップ手段６がレコード盤２からピックアップしたアナログ信号の左チャンネルと右チャンネルとの位相差に基づいき、そのアナログ信号をピックアップした際のレコード盤２が回転する方向を検出するためのものである。
【００４８】
移動量検出部１２は、ＣＰＵ１５と共働して、ピックアップ手段６からのアナログ信号をカウントして得たパルス数に基づき、ピックアップ手段６がレコード盤２からアナログ信号をピックアップしている際のレコード盤２が回転して移動した量を検出するためのものである。
【００４９】
速さ検出部１３は、ＣＰＵ１５と共働して、ピックアップ手段６がレコード盤２からピックアップしたアナログ信号のパルス数のカウント結果を微分し、アナログ信号をピックアップする際の速さ、つまり、ピックアップ手段６がレコード盤２からアナログ信号を読取っている時のレコード盤２の回転する速さを検出するためのものである。
【００５０】
タイムコード検出部１４は、ＣＰＵ１５と共働して、ピックアップ手段６からのアナログ信号に基づき、ピックアップ手段６がレコード盤２からアナログ信号をピックアップしている際のピックアップ手段６がレコード盤２からアナログ信号を読取った部位の位置に対応する絶対時間を検出するためのものである。
【００５１】
ディジタルオーディオ再生装置である再生手段５は、上述の検出手段４に加えて、回転駆動手段１６、ピックアップ手段１７等を有するＣＤプレーヤ手段１８と、ＲＦアンプ１９と、デコーダ２０と、ディジタル・シグナル・プロセッサ（ＤＳＰ）２１と、メモリ２２、Ｄ／Ａ変換部２３及びＣＰＵ１５を備えて構成されている。
ＣＰＵ１５は、検出手段４と再生手段５で共用される構成になっている。
【００５２】
ＣＤプレーヤ手段１８は、回転駆動手段１６がＣＤを載置して回転駆動し、ピックアップ手段１７がその回転駆動されているＣＤから、つまり演奏中のＣＤから再生される音声信号を取り出すためのものである。
又、ＣＤプレーヤ手段１８は、ピックアップ手段１７がＣＤから上記音声信号と共に再生演奏がされている対応部分の絶対時間（ＣＤの一曲目開始からの時間）を示す信号をピックアップする構成になっている。
【００５３】
ＲＦアンプ１９は、ＣＤプレーヤ手段１８のピックアップ手段１７からのＣＤの再生信号を入力し、後段でデコードが可能になるレベルにまで増幅して、デコーダ２０に出力するものである。
デコーダ２０は、ＲＦアンプ１９で適切なレベルに増幅された信号を入力し、そのエンコードされている信号を元の状態に復調し、時間データに関してはＣＰＵ１５に、音声データに関してはＤＳＰ２１にそれぞれ出力するものである。
【００５４】
ＤＳＰ２１は、デコーダ２０から音声データに関する信号（ディジタルデータ）を受けて、メモリ２２に送って格納させるものである。
この際、ＤＳＰ２１は、ディジタル音声データに係るディジタルデータを、ＣＰＵ１５が入力する時間データと対応するようにメモリ２２に格納するものである。
【００５５】
又、ＤＳＰ２１は、通常演奏時であるレコード盤２の回転に外力を加えない状態の演奏の際には、ＣＰＵ１５の制御信号に基づいて、結果的にメモリ２２に格納されている音声データを格納した順序で読み出してＤ／Ａ変換部２３に送る構成になっている。
つまり、ＤＳＰ２１はＣＰＵ１５の制御信号に基づき、レコード盤２でアナログ信号がピックアップされる部位に対応するフレーム、再生方向及び再生速さの制御がなされたディジタル音声データを、Ｄ／Ａ変換部２３を介して結果的にアナログ音声信号として出力させるためのものである。
ここで、Ｄ／Ａ変換部２３は、メモリ２２に格納されているディジタルの音声データをアナログ信号に変換して出力するものである。
【００５６】
尚、オーディオ装置１の本体の前部に、再生手段５の操作部２４が配設されている。
操作部２４の正面中央に、演奏対象のＣＤをスロットインさせて回転駆動手段１６に載置させるため及び演奏終了後のＣＤをスロットアウトさせるための開口部２５が開設されている。
オーディオ装置１の本体の側部に、再生手段５で得られたアナログ音声信号を外部に出力するための出力端子２６が配設されている。
【００５７】
オーディオ装置１の全体構成及び各部は上述したように構成されている。
以下において、図面に基づいて、オーディオ装置１の動作を詳述する。
【００５８】
操作者はまず最初にオーディオ装置１に電源を入れ、続いて、レコードプレーヤ装置３にレコード盤２を載置すると共に再生手段５の開口部２５から演奏対象のＣＤをスロットインさせ、操作パネル９及び操作部２４を操作してそれぞれレコードプレーヤ装置３及びディタルオーディオ再生手段５を作動させる（図３のＳ１）。
【００５９】
ここで、レコードプレーヤ装置３はピックアップ手段６がレコード盤２と相対的に摺動してレコード盤２にカットされたアナログ信号をピックアップし、そのアナログ信号をアンプ１０に送る。
アンプ１０は、ピックアップ手段６からのアナログ信号を入力すると、方向検出部１１と、移動量検出部１２と、速さ検出部１３及びタイムコード検出部１４がそれぞれ検出し易いレベルに増幅して検出手段４に送る（同Ｓ３）。
【００６０】
検出手段４は、アンプ１０からのアナログ信号を入力すると、方向検出部１１がレコード盤２にカットされて記録された二つのチャンネルの信号位相差に基づいてレコード盤２の回転方向を検出する。
移動量検出部１２は、前記二つのチャンネルから単位時間当りに入力される単信号のパルス数を算出する。尚、ＣＰＵ１５は、この情報量に基づいて、再生装置５が再生したフレームに割り付けて移動量を算出する。
【００６１】
速さ検出部１３は、移動量検出部１２で得られた移動量を微分することによって、移動の速さつまりレコード盤２の角速度を検出する。尚、二つのチャネルから入力されるパルスの周期を測定することによって速さを検出する方法も知られており、その方法を用いてもよい。
タイムコード検出部１４は、振幅変調された正弦波をレベルコンパレータ（図示省略）によってディジタル信号に変換し、且つ、複数個の比較レベルのコンパレータを通過させるが、その際に複数個の比較レベルのコンパレータを通すことになるが、そのことにピックアップ手段６の位置を示す時間データは、結果的に時間データを意味する同期式シリアル信号に変換されてＣＰＵ１５に送られることになる（以上、同Ｓ４）。
【００６２】
他方、この時の再生手段５では、ＣＤプレーヤ手段１８が回転駆動手段１６に回転されている前記ＣＤからピックアップ手段１７によってエンコードされて記録された前記ＣＤのディジタルデータがＲＦ信号としてピックアップされる。
ＣＤプレーヤ手段１８によってピックアップされた前記ＲＦ信号のディジタルデータは、デコーダ２０によってエンコードする前のディジタルデータに変換され、ＣＰＵ１５に時間データが、ＤＰＳ２１に音声データがそれぞれ送られる。
【００６３】
再生手段５は更に、ＣＤに記録されているＴＯＣ情報を読取ってから、一曲目の曲頭をサーチし、ピックアップ手段１７をその位置に対応付けるように移動させる。
ＣＰＵ１５は、デコーダ２０から入力される時間データに基づいてピックアップ手段１７の読取り位置を監視し、移動を終了した時点でＤＳＰ２１に音声データの格納をメモリ２２に対して行い、検出部４で得られているレコード盤２の回転方向である演奏の方向、移動量（演奏量）、演奏の速さを算出する（同Ｓ５）。
ＣＰＵ１５は更にその算出結果に従って、ＤＳＰ２１がメモリ２２から前記格納の音声データを読み出してＤ／Ａ変換部２３に送るように制御信号を出力する（同Ｓ６）。
【００６４】
ＣＰＵ１５は、ＤＳＰ２１がＣＰＵ１５からの前記制御信号に基づいてピックアップ手段６の針がレコード盤２上で演奏してアナログ信号をピックアップしている部位の位置に対応するＣＤの部位（フレーム）の音声データを受信したか否かを判断する（同Ｓ７）。
ここで、ＣＰＵ１５は、ＤＳＰ２１がレコード盤２の演奏の部位に対応してＣＤの部位（フレーム）の音声データを受け取っていないと判断すると、レコード盤２の演奏の部位とこれに対応するＣＤの部位（フレーム）の音声データを一致させるように制御する（同Ｓ８）。
この時、メモリ２２から読み出される音声データは、ＤＳＰ２１を介してＤ／Ａ変換部２３に出力されることになる。
【００６５】
他方、ＣＰＵ１５が、ＤＳＰ２１がレコード盤２の演奏の部位に対応してＣＤの部位（フレーム）の音声データを受け取っていると判断すると、ＤＳＰ２１はＣＰＵ１５の制御信号に基づき、その時のＣＤの演奏部位（フレーム）をレコード盤２の演奏の部位と対応するようにアドレスを変更する（同Ｓ９）。
ここで、レコード盤２の演奏の部位の位置と、メモリ２２から出力される音声のフレームつまりアドレスは互いに対応することになる（同Ｓ８）。
【００６６】
Ｄ／Ａ変換部２３は、そのディジタル信号の音声データをアナログ信号の音声データに変換して出力端子２６に送る。
ここで、出力端子２６はアナログの音声データを後段に送るが、後段では増幅等の音声加工が行われた後に、音声データは結果的に音声となってスピーカ（図示省略）から出力される。
この際、前記スピーカから出力される音声つまりＣＤの再生音声は、レコード盤２がレコードプレーヤ装置３によって演奏されている方向と速さに対応、つまり、ＣＤを通常の演奏の方向で且つ通常の演奏速さの再生音声になっている。
【００６７】
続いて、演奏者が、レコードプレーヤ装置３の通常演奏に対してレコード盤２に働き掛けて回転の方向、速さ、針を飛ばして不連続な部位からピックアップを再開させるといった、いわゆるスクラッチ演奏が行われる場合を説明する。
演奏者は、レコードプレーヤ装置３のターンテーブル７に載置されているレコード盤２の表面あるいはターンテーブル７に手（例えば指先の腹）を当てて、ターンテーブル７の通常の回転に抗して所望の演奏の方向及び所望の演奏の速さで回転させると、ピックアップ手段６は摺動によってレコード盤２からこのスクラッチ演奏に対応した演奏の速さ及び演奏の方向に応じた状態のアナログ信号を検出する。
ピックアップ手段６からのアナログ信号は、アンプ１０で所定のレベルに増幅されてから、検出手段４に送られる。
【００６８】
ここで、検出手段４では、方向検出部１１がレコード盤２の回転方向を検出し、移動量検出部１２がディジタル再生装置のフレームに割り付ける移動量を算出するための検出を行い、速さ検出部１３がレコード盤２の角速度を検出する。
更に、タイムコード検出部１４が振幅変調された正弦波をレベルコンパレータ（図示省略）によってディジタル信号に変換し、且つ、複数個の比較レベルのコンパレータを通過させる。
【００６９】
この際、複数個の比較レベルのコンパレータを通すことになるが、そのことによってピックアップ手段６の位置を示す時間データは、結果的に時間データを意味する同期式シリアル信号に変換されてＣＰＵ１５に送られることになる。
尚、レベルコンパレータは振幅変調された正弦波をディジタル信号に変換するが、後述するパルスのカウントをより一層正確に行うために、レコード盤２からの信号を波形成形する手段を備えた構成であってもよい。
【００７０】
他方、この時の再生手段５では、ＣＤプレーヤ手段１８は回転駆動手段１６が前記ＣＤを回転し、その回転されている前記ＣＤからピックアップ手段１７が既にエンコードされて記録された前記ＣＤのディジタルデータをＲＦ信号としてピックアップしている。
更に、ＣＤプレーヤ手段１８によってピックアップされた前記ＲＦ信号のディジタルデータは、デコーダ２０によってエンコードする前のディジタルデータに変換され、ＣＰＵ１５に時間データが、ＤＰＳ２１に音声データがそれぞれ既に送られている。
【００７１】
方向検出部１１が、レコード盤２からのアナログ信号の左チャンネルと右チャンネルとの位相差に基づき、演奏者がレコード盤２をスクラッチ演奏して回転させている方向を検出して方向信号を生成する。
つまり、詳細には、方向検出部１１は、レコード盤２に左チャンネルと右チャンネルとの位相差が例えば９０度の状態で信号が記録されている場合では、レコード盤２から再生された左チャンネルと右チャンネルとの位相差が９０度の近傍であれば正方向に、２７０度の近傍であれば逆方向にそれぞれ回転されていると判断して、その回転方向を示す回転信号を生成する。
【００７２】
移動量検出部１２は、レコード盤２からのアナログ信号のパルス数をカウントして移動量を示す移動量の信号を生成する。
又、速さ検出部１３は、レコード盤２からのアナログ信号のパルス数のカウント結果を微分してその時の回転の速さ（角速度）を算出し、その値を示す速さ信号を生成する。
【００７３】
以上のようにして検出された方向信号、移動量信号、速さ信号の３種類の信号は、ＣＰＵ１５を経由して望ましい再生状態を可能にするための制御信号としてＤＳＰ２１に送られる。
尚、上述したレコード盤２の回転の方向の検出、移動量の検出、速さの検出を行う場合に、検出対象となるレコード盤２からのアナログ信号のパルスの周期が演奏の速さに応じて大幅に変化する可能性があるため、検出手段４の各回路は幅広いパルス周期に対応できることが望ましい。
【００７４】
ここで、ＤＳＰ２１は、ＣＰＵ１５からの方向信号、移動量信号、速さ信号の３種類の信号を制御信号として受取って、各信号の内容に対応するように、メモリ２２へ格納中のディジタル音声データを出力するように作動する。
メモリ２２は、ＤＳＰ２１の上記制御信号に基づいて、レコード盤２の回転の方向、移動量及び速さに対応して、格納中のディジタル音声データをＤＳＰ２１を介してＤ／Ａ変換部２３に出力する。
【００７５】
Ｄ／Ａ変換部２３は、ディジタル音声データをアナログ音声信号に変換して出力端子２６に送る。
ここで、出力端子２６から出力されたアナログ音声信号は増幅等の音声加工が為された後にスピーカから出力される。
つまり、結果的に、スクラッチ演奏されているレコード盤２の回転の方向、移動量及び速さに対応して、ＣＤのデータがスピーカから音声となって出力される。
【００７６】
スクラッチ演奏者が演奏を続けているうちに、針飛びになる演奏及び逆方向回転の演奏になる場合を、以下に詳述する。
尚、ここで言う針飛びになる演奏とは、スクラッチ演奏中にピックアップ手段６の針がレコード盤２との摺動状態から偶然に飛んで外れる場合とスクラッチ演奏者が意識的にピックアップ手段６の針を摺動状態にあるレコード盤２から外す場合の二通りを含むことを意味する。
【００７７】
当初はディジタルオーディオ再生システム１がノーマルな演奏（作動）を行なっている際に、つまり、レコードプレーヤ装置３のターンテーブル７が正方向にノーマルな速さで回転してピックアップ手段６がレコード盤２と摺動してアナログ信号をピックアップしている（同Ｓ１）。
ここで、スクラッチ演奏者がレコードプレーヤ装置３のターンテーブル７を操作することによって、針飛びが生じる、つまりピックアップ手段６の針がレコード盤２との摺動状態から飛んで外れる状態が生じる（同Ｓ２）。
尚、演奏者によっては、レコード盤２そのものに力を作用してスクラッチ演奏を行い、同様に針飛びが生じる場合も該当する。
【００７８】
針飛びが生じると、ピックアップ手段６の針がレコード盤２から外れてアナログ信号をピックアップすることがないから、アンプ１０、更には検出手段４にアナログ信号が送られることはない。
ここで、検出手段４は、レコード盤２からアナログ信号が入力しないことを検出し（同Ｓ１０）、ＣＰＵ１５は検出手段４からその旨を受けて針飛びが生じたと判断する（同Ｓ１３）。
【００７９】
ＣＰＵ１５は、針飛びが生じたと判断すると、タイムコード検出部１４からの針飛びが生じた直後の針の位置を示す時間データとデコーダ２０からの出力すべき音声データが互いに略対応しているか否かを判断する（同Ｓ１４）。
ここで、ＣＰＵ１５は、タイムコード検出部１４からの針飛びが生じた直後の針の位置を示す時間データとデコーダ２０から出力すべき音声データが互いに対応していないと判断した場合、針飛びの後に針が降りたレコード盤２上の部位の位置に対応するＣＤのフレーム（アドレス）を算出する（同Ｓ１５）。
【００８０】
ＣＰＵ１５は、続いて、針飛びの後に針が降りたレコード盤２上の部位の位置に対応するＣＤのフレームの算出結果に基づき、その算出結果に対応する音声データをメモリ２２から出力させてＤ／Ａ変換部２３に送るようにＤＳＰ２１に制御信号を出力する（同Ｓ６）。
【００８１】
他方、検出手段４がアンプ１０からアナログ信号が入力されないことで針飛びと検出していながらも（同Ｓ２）、ＣＰＵ１５が針飛びが生じたと判断しなかった場合（同Ｓ１３でＮＯ）、つまり具体的には、スクラッチ演奏者が手でレコード盤２の回転を停止させる場合等では、ＣＰＵ１５はタイムコードのデータを削除する（同Ｓ１６）。
続いて、ＣＰＵ１５は、ＣＤの演奏すべきフレームつまり出力アドレスについては補正を行わず（同Ｓ１７）、演奏が続行するように制御する（同Ｓ６へ）。
ここで、再生手段５では、ＣＰＵ１５は、メモリ２２からの音声データをの出力をＤ／Ａ変換部２３に送るようにＤＳＰ２１に制御信号を出力する（同Ｓ６）。
【００８２】
ＣＰＵ１５が針飛びが生じたと判断し且つその時の検出時間とデコーダ２０からの出力すべき音声データが互いに略対応していると判断した場合は、ＣＰＵ１５は、ＣＤの演奏すべきフレームつまりアドレスについては補正を行わない（Ｓ１７）。
従って、同様に、再生手段５では、ＣＰＵ１５は、メモリ２２からの音声データの出力をＤ／Ａ変換部２３に送るようにＤＳＰ２１に制御信号を出力する（Ｓ６）。
【００８３】
他方、アンプ１０がアナログ信号を受けて所定の増幅加工を行なって検出手段４に出力すると（同Ｓ３）、その信号のうちのタイムコード信号についてはタイムコード検出部１４で復調され（同Ｓ１１）、ＣＰＵ１５に送られる。
ＣＰＵ１５は、タイムコード検出部１４からのタイムコード信号を受け取ると、タイムコード信号に誤りがあるか否かを判断する（同Ｓ１２）。
ここで、ＣＰＵ１５は、タイムコード信号に誤りがあると判断すると、レコード盤２においてピックアップ手段６が針飛びを生じたか否かに判断を進める（同Ｓ１３）。
【００８４】
又、ＣＰＵ１５は、タイムコード検出部１４からのタイムコード信号を受け取ってタイムコード信号に誤りがあるか否かを判断し（同Ｓ１２）、タイムコード信号に誤りがあると判断すると、タイムコードのデータを削除して（同Ｓ１６）、アドレスに補正を行なわない段階へと進む（Ｓ１７）。
【００８５】
ここで、図４を用いて、ＣＰＵ１５が行なうタイムコードに誤りがあるか否かの判断動作について詳述する。
検出手段４がアンプ１０からの増幅加工されたアナログ信号を入力すると、タイムコード検出部１４は、その信号のうちのタイムコード信号について復調し（図３及び図４のＳ１１）、ＣＰＵ１５に送る。
ＣＰＵ１５は、タイムコード検出部１４からタイムコード信号を受け取ると（図４のＳ１８）、その同期式シリアルのタイムコード信号を確認する（同Ｓ１９）。
【００８６】
ここで、ＣＰＵ１５が同Ｓ１８において受け取ったタイムコード信号について説明を行う。
レコード盤２からピックアップ手段６によって最初に生成される信号は、互いに９０度の位相差のある右チャンネルと左チャンネルの信号であり、アンプ１０によって増幅されて後に検出手段４に送られるが、検出手段４に入力される直前の波形を模式的に表現すると図５に示すものとなる。
つまり、レコード盤２からピックアップ手段６によって生成される信号は、データを示す右チャンネルと、シリアルクロック及びフレームシンクを示す左チャンネルの信号が共に正弦波の単一周期信号であって、タイムコードデータが振幅変調方式で記録されているものである。
【００８７】
ここで、当該信号がタイムコード検出部１４に入力されると、タイムコード検出部１４に内蔵された複数種のレベルコンパレータ（図示省略）によって、正弦波から０か１に二値化された波形に整形され、結果的に図６に模式的に示すディジタル信号に変換されたものになる。
つまり、ＣＰＵ１５に入力されるタイムコード信号は、０か１に二値化されたディジタル信号となる。
【００８８】
ＣＰＵ１５は、針飛びが生じると信号が無入力の状態になり、針がレコード盤２に降りて来て信号が再入力の状態になるが、再入力の信号がピックアップ中の正しいレコード盤２の部位に対応するフレームに対応付けるための時間は可能な限り短くなることが望ましい。そこで、ＣＰＵ１５は、上述した１フレーム分に対応するデータについてのみタイムコード信号の値を確認する。
【００８９】
具体的にはまず、そのディジタル値が全て０か否かを判断する（同Ｓ２０）。
これは、タイムコード信号のデータの整合性を確保するためである。シリアルのデータ信号であるアナログ信号から同様のディジタル信号に変換して抽出されるが、アナログ信号に対するコンパレートを行なう際にレベルに誤りが生じる場合を考慮し、記録するデータの値は全てが０になる場合或いは全てが１になる場合を除くことが必要になることに対応する振るい分けである。
【００９０】
従って、同Ｓ２０においてデータの値が全て０でないと判断された後、同Ｓ２１おいてデータの値が全て１でないと判断されるのは同じ趣旨によるものである。
尚、ＣＰＵ１５は、以下におけるタイムコード信号のデータに係る判断は、全て１フレーム分だけで行なうものとする。
【００９１】
同Ｓ２０においてデータの値が全て０であると判断される場合と同Ｓ２１においてデータの値が全て１であると判断される場合は、信号がそのようになる場合は起き得ないことからその時点のタイムコードは誤りである判断される（同Ｓ２７）。
他方、同Ｓ２０においてデータの値が１を含み且つ同Ｓ２１においてデータの値が０を含むと判断される場合は、シリアルのデータ信号であるアナログ信号から同様のディジタル信号に変換して抽出する場合のアナログ信号に対するコンパレートを行なう際にレベルに明らかな誤りが生じていないことが保証されていると考える。
【００９２】
ここで、ＣＰＵ１５はその場合のデータの値について、タイムコード信号は各フレームの対応するデータにおいて真中を中心に折り返すと合致して重なり合うように構成されているつまりディジタル値がミラー状に配列されているので、それぞれのフレームに対応するデータ毎において真中を中心に折り返すと重なり合うか否か、つまり、各フレームに対応するデータを構成するディジタル値がミラー状に配列されているか否かを判断する（同Ｓ２２）。
【００９３】
尚、タイムコード信号が各フレームに対応するデータにおいて真中を中心に折り返すと合致して重なり合うように構成されていてディジタル値がミラー状に配列されているというのは、模式的に説明すると、図５に示したレコード盤２から生成されたアナログ信号が、検出手段４でディジタル信号に変換されて図６に示された形状になっていることを意味する。
【００９４】
ＣＰＵ１５が、Ｓ２２において各フレームに対応するデータを構成するディジタル値がミラー状に配列されている、つまりタイムコード信号は各フレームに対応するデータにおいて真中を中心に折り返すと合致して重なり合うように構成されていると判断すると、現時点のタイムコード信号は正確であるものと判断できる（同Ｓ２３）。
【００９５】
次に、ＣＰＵ１５が、針飛びが生じたか否かを判断するステップ（図３のＳ１３）に進む。Ｓ１３のステップにおいて、ＣＰＵ１５が針飛びが生じたか否かを判断し、結果的には、Ｓ８ステップに進んで、ピックアップ手段６がレコード盤２からアナログ信号をピックアップしている部位に対応するＣＤのフレームのディジタル信号をアナログ音声信号として出力端子２６から出力することになる。
【００９６】
他方、ＣＰＵ１５が、図４のＳ２２において各フレームに対応するデータを構成するディジタル値がミラー状には配列されていない、つまりタイムコード信号は各フレームに対応するデータにおいて真中を中心に折り返すと合致せず重なり合わないように構成されていると判断すると、レコード盤２が正方向に回転しているか否かを判断することになる（同Ｓ２４）。
【００９７】
ここで、ＣＰＵ１５は、連続したフレームに対応するタイムデータの整形された波形の一部を模式的に簡便化して図７に示すと、各フレームに対応するデータにおいて真中を中心に折り返すと合致して重なり合うように構成されており、且つ、タイムデータはシリアルであり、各フレームを前部と後部に二等分して数値を対応させると、ｎ＋１、ｎ＋１、ｎ＋２、ｎ＋２、ｎ＋３、ｎ＋３、ｎ＋４、ｎ＋４、・・・と並ぶことになる。
従って、１フレーム分だけに対応するデータを読み込んだ場合に、前部と後部の差が０であれば同一のフレームに対応するデータを読み込んだことになる。
同様に、前部と後部の差が−１であれば数が増えていることから正方向に読み取った回転であり（同Ｓ２５）、他方、前部と後部の差が１であれば数が減っていることから逆方向に読み取った回転であると判別される（同Ｓ２６）。
【００９８】
同Ｓ２５において、ＣＰＵ１５がタイムコード信号の１フレーム分に対応するデータから先に読み込んだ値と後で読み込んだ値との差が−１であれば正方向に連続した値を読み込んだことになり、つまり、レコード盤２は正方向に回転していると判断されて、現在のタイムコード信号は正確であると判断されて（同Ｓ２３）、次のステップである図３のＳ１３に進む。
同Ｓ１３のステップに進むと、既に上述した場合と同様に、結果的に同Ｓ８のステップに進んで、ピックアップ手段６がレコード盤２からアナログ信号をピックアップしている部位に対応するＣＤのフレームのディジタル信号をアナログ音声信号として出力端子２６から出力することになる。  
【００９９】
他方、図４のＳ２５において、ＣＰＵ１５がタイムコード信号の１フレーム分に対応するデータから先に読み込んだ値と後で読み込んだ値との差が１の場合は逆方向に連続した値を読み込んだことになり、同Ｓ２４でレコード盤２が正方向に回転しているという前提と矛盾することになり、現時点のタイムコード信号は誤っていると判断される（同Ｓ２７）。
つまり、レコード盤２は正方向に回転していると判断されて、次のステップである図３のＳ１６に進む。
【０１００】
同Ｓ１６のステップに進むと、タイムコードデータが削除され、結果的に同Ｓ８のステップに進んで、ピックアップ手段６がレコード盤２からアナログ信号をピックアップしている部位に対応するＣＤのフレームのディジタル信号をアナログ音声信号として出力端子２６から出力することになる。
【０１０１】
又、レコード盤２が正方向に回転していないと判断されると、図４のＳ２６においてＣＰＵ１５は先に読み込んだ値と後で読み込んだ値を比較し、その差が−１であれば逆方向に連続した値を読み込んだことになり、レコード盤２は逆方向に回転しているということで、現在のタイムコード信号は正確であると判断されて（同Ｓ２３）、次のステップの図３のＳ１３に進む。
同Ｓ１３のステップに進むと、上述したように、結果的にピックアップ手段６がレコード盤２からアナログ信号をピックアップしている部位に対応するＣＤのフレームのディジタル信号をアナログ音声信号として出力端子２６から出力することになる。
【０１０２】
他方、図４のＳ２６において、ＣＰＵ１５は先に読み込んだ値と後で読み込んだ値を比較し、その差が−１でないならば正方向に連続した値を読み込んだことになり、レコード盤２は正方向に回転していることになる。
しかしながら、これは、同Ｓ２４においてレコード盤２が正方向に回転していないという前提と矛盾することになり、現時点のタイムコード信号は誤っていると判断され（同Ｓ２７）、次のステップの図３のＳ１６に進む。
同Ｓ１６のステップに進むと、上述したように、結果的にピックアップ手段６がレコード盤２からアナログ信号をピックアップしている部位に対応するＣＤのフレームのディジタル信号をアナログ音声信号として出力端子２６から出力することになる。
【０１０３】
ディジタルオーディオ再生システム１は、上述したように、演奏者がレコード盤２に対してスクラッチ演奏していて針飛びが生じその後に針がレコード盤２に降りた際、ＣＰＵ１５はＣＤにおける高々１フレーム分に対応するレコード盤２からのアナログ信号のピックアップだけで針が降りたレコード盤２の部位の位置に対応するＣＤのディジタル信号をアナログ音声信号として出力端子２６から出力するように制御を行なっている。
【０１０４】
従って、ディジタルオーディオ再生システム１は、アナログレコードプレーヤ手段３のターンテーブル７の上のレコード盤２をスクラッチ演奏を行なうことによって、ＣＤの再生演奏が恰もレコード盤２に対するスクラッチ演奏を行なっているように得られることが可能になっている。
【０１０５】
又、ディジタルオーディオ再生システム１は、演奏中に針飛びが生じその後に針がレコード盤２に降りた際に、レコード盤２から高々１フレーム分に対応するデータのアナログ信号をピックアップだけで針が降りたレコード盤２の部位の位置に対応するＣＤのディジタル信号を出力端子２６からアナログ音声信号として出力されるので、演奏者のスクラッチ演奏と実際の出力端子２６からアナログ音声信号は無視してよいほどのタイムラグで追従することになり、演奏者にとって違和感のない演奏が可能になっている。
【０１０６】
尚、斯かる１フレーム分に対応するデータのアナログ信号をピックアップによって針が降りたレコード盤２の部位の位置に対応するＣＤのディジタル信号を出力端子２６からアナログ音声信号として出力させているが、針が降りたレコード盤２の部位の位置とＣＤのディジタル信号を出力端子２６からアナログ音声信号として出力させるフレームの対応付けが実質的に２フレーム分に対応する長さのアナログデータをピックアップした場合と同じ程度に保証されている。
【０１０７】
更に、ディジタルオーディオ再生システム１は、スクラッチ演奏中にレコード盤２を逆方向に回転させて演奏する場合においても、高々１フレーム分に対応するデータのアナログ信号をピックアップだけでレコード盤２の回転の方向の判別が可能になっているので、同様に、演奏者がレコード盤２の回転の方向が連続的に何度も切換わるようにスクラッチ演奏を行なっても実際の出力端子２６からアナログ音声信号は無視してよいほどのタイムラグでレコード盤２の回転方向に切替えに対応して追従することになり、演奏者にとって違和感のない演奏が可能になっている。
又、レコード盤の逆方向の回転についても、２フレーム分に対応する長さのアナログデータをピックアップした場合と同じ程度に保証されている。
【０１０８】
つまり、ディジタルオーディオ再生システム１は、演奏者がスクラッチ演奏を行う際にレコード盤２からのアナログ信号のピックアップにＣＤからの音声データが時間的な追従性がよく出力されるだけではなく、針が降りた際のレコード盤２の部位及び回転の方向についてより一層高い追従性が確保されている。
【０１０９】
上述した実施例では、再生対象のディジタル式の記録媒体としてＣＤを揚げているが、この他に、ＭＤやフラッシュメモリー等であってもよい。
【０１１０】
記録媒体のフレームに対応するレコードのアナログ信号の正弦波の数は、演奏者の使い勝手や分解能をどこまで求めるか等の要件によって適宜選択するのが望ましい。
【０１１１】
上述した実施例では、オーディオ装置１にレコードプレーヤ装置３及び再生手段５が一体となって構成されているが、レコードプレーヤ装置３、再生手段５を別体とした構成であってもよい。
【図面の簡単な説明】
【０１１２】
【図１】本発明の実施の一形態例のディジタルオーディオ再生システムの電気的な構成を示す機能ブロック図である。
【図２】図１に示す実施の形態例のディジタルオーディオ再生システムの構成を示す斜視図である。
【図３】図１に示す実施の形態例のディジタルオーディオ再生システムの動作を説明するフローチャート図である
【図４】図３に示すフローチャート図において、「タイムコードに誤りがないか？」のサブルーチンを説明するフローチャート図である。
【図５】図１に示す実施の形態例のディジタルオーディオ再生システムにおいて、レコード盤からのアナログ信号の波形の形状を示す構成説明図である。
【図６】図１に示す実施の形態例のディジタルオーディオ再生システムにおいて、レコード盤からのアナログ信号が検出部においてコンパレータを経た後に得られる波形の形状を示す構成説明図である。
【図７】図１に示す実施の形態例のディジタルオーディオ再生システムにおいて、レコード盤からのアナログ信号が検出部においてコンパレータを経た後に得られる波形の形状の特徴を模式的に示す構成説明図である。
【符号の説明】
【０１１３】
１：    ディジタルオーディオ再生システムとしてのオーディオ装置
２：    レコード盤
３：    レコードプレーヤ装置
４：    検出手段
５：    ディジタルオーディオ再生装置としての再生手段
６：    ピックアップ手段
１５：  ＣＰＵ
１８：  ＣＤプレーヤ手段
２１：  ＤＳＰ
【図１】
2005159721.tif 000003
【図２】
2005159721.tif 000004
【図３】
2005159721.tif 000005
【図４】
2005159721.tif 000006
【図５】
2005159721.tif 000007
【図６】
2005159721.tif 000008
【図７】
2005159721.tif 000009
【手続補正書】
【提出日】平成16年6月4日(2004.6.4)
【手続補正１】
【補正対象書類名】特許請求の範囲
【補正対象項目名】全文
【補正方法】変更
【補正の内容】
【特許請求の範囲】
【請求項１】
所定の信号が記録されたレコード盤を再生演奏してアナログ信号を出力するレコードプレーヤ装置と、
そのレコードプレーヤ装置によって前記レコード盤からピックアップされ、入力されるアナログ信号に基づき前記レコード盤のアナログ信号をピックアップした部位の位置、演奏の方向及び演奏の速さを検出する検出手段と、
記録媒体からディジタル音声データを読み出し、且つ、前記検出手段によって検出された、前記アナログ信号のピックアップされたレコード盤の部位の位置、演奏の方向及び演奏の速さに対応させて前記ディジタル音声データの出力を制御して、そのディジタル音声データをアナログ信号として出力するディジタルオーディオ再生手段と、
が備えられてなるディジタルオーディオ再生システム。
【請求項２】
所定の信号が記録されたレコード盤がアナログプレーヤ装置で演奏されてアナログ信号がピックアップされ、入力されるそのアナログ信号に基づいて前記レコード盤のアナログ信号がピックアップされた部位の位置、演奏の方向及び演奏の速さを検出する検出手段と、
記録媒体からディジタル音声信号を読み出す再生手段と、
その再生手段から読み出されたディジタル音声データを、前記検出手段によって検出された、アナログ信号のピックアップされたレコード盤の部位の位置、演奏の方向及び演奏の速さに対応させて出力するように制御する制御手段と、
その制御手段からの制御信号に基づき、前記再生手段で読み出されたディジタル音声データをアナログ音声信号として出力する出力手段と、
が備えられてなるディジタルオーディオ再生装置。
【請求項３】
レコードプレーヤ装置の再生演奏によって生成されるアナログ信号に基づいて制御されて、記録媒体から読み出されたディジタル音声データがアナログ音声となって出力される構成のディジタルオーディオ再生システムにおいて使用されるレコード盤であって、
レコードプレーヤ装置に載置され回転されてピックアップ手段と摺動することによって演奏されると、その演奏でピックアップされる部位の位置、回転の方向及び回転の速さを示すためのアナログ信号が二つのチャンネルで生成するように音溝が形成されてなるレコード盤。
【請求項４】
音溝によって生成されるアナログ信号の二つのチャンネルのうちいずれか一方に、記録媒体のディジタル音声データの最小再生単位に対応された時間的な長さにフレーム化された、ピックアップされる部位の位置を示す位置情報が配設され、且つ、その位置情報を示す信号が再生されて波形成形された際に、各フレームに対応する信号のデータにおいて信号の配列が対称であって真中を中心に折り返すと合致して重なり合うように構成されてなることを特徴とする請求項３に記載のレコード盤。
【手続補正２】
【補正対象書類名】明細書
【補正対象項目名】０００１
【補正方法】変更
【補正の内容】
【０００１】
本発明は、レコードプレーヤ装置のピックアップ手段が回転中のレコード盤本体に摺動することで音声信号をピックアップし、演奏者がレコード盤に所望の回転の速さ、所望の回転の方向で演奏することでそれらに対応して音声信号のピックアップが行われるレコード盤のスクラッチレコード演奏のように、記録媒体が例えばコンパクトディスク（以下、『ＣＤ』と称する。）といったディジタル信号を再生演奏する場合において同様なスクラッチ演奏等が可能なディジタルオーディオ再生システム、ディジタルオーディオ再生装置及びレコード盤に関する。
【手続補正３】
【補正対象書類名】明細書
【補正対象項目名】００１３
【補正方法】変更
【補正の内容】
【００１３】
この発明は、レコード盤の演奏によって得られるアナログ信号に基づいてディジタルデータで記録された音声信号を対応付けて再生出力させることにおいて、演奏中のレコード盤の演奏部位の位置、回転の方向、回転の速さ及び演奏開始からの時間を示すデータがピックアップされると、レコード盤の演奏部位に追従するように、レコード盤からピックアップされたそれらのデータに基づいてディジタル音声信号がＤ／Ａ変換されて出力するように制御する構成としたディジタルオーディオ再生システム、ディジタルオーディオ再生装置及びレコード盤である。
【手続補正４】
【補正対象書類名】明細書
【補正対象項目名】００１４
【補正方法】変更
【補正の内容】
【００１４】
その詳細な構成の一は、所定の信号が記録されたレコード盤を再生演奏してアナログ信号を出力するレコードプレーヤ装置と、そのレコードプレーヤ装置によって前記レコード盤からピックアップされ、入力されるアナログ信号に基づき前記レコード盤のアナログ信号をピックアップした部位の位置、演奏の方向及び演奏の速さを検出する検出手段と、記録媒体からディジタル音声データを読み出し、且つ、前記検出手段によって検出された、前記アナログ信号のピックアップされたレコード盤の部位の位置、演奏の方向及び演奏の速さに対応させて前記ディジタル音声データの出力を制御して、そのディジタル音声データをアナログ信号として出力するディジタルオーディオ再生手段と、が備えられてなるディジタルオーディオ再生システムである。
【手続補正５】
【補正対象書類名】明細書
【補正対象項目名】００１６
【補正方法】変更
【補正の内容】
【００１６】
その詳細な構成の二は、所定の信号が記録されたレコード盤がアナログプレーヤ装置で演奏されてアナログ信号がピックアップされ、入力されるそのアナログ信号に基づいて前記レコード盤のアナログ信号がピックアップされた部位の位置、演奏の方向及び演奏の速さを検出する検出手段と、記録媒体からディジタル音声信号を読み出す再生手段と、その再生手段から読み出されたディジタル音声データを、前記検出手段によって検出された、アナログ信号のピックアップされたレコード盤の部位の位置、演奏の方向及び演奏の速さに対応させて出力するように制御する制御手段と、その制御手段からの制御信号に基づき、前記再生手段で読み出されたディジタル音声データをアナログ音声信号として出力する出力手段と、が備えられてなるディジタルオーディオ再生装置である。
【手続補正６】
【補正対象書類名】明細書
【補正対象項目名】００１８
【補正方法】変更
【補正の内容】
【００１８】
その詳細な構成の三は、レコードプレーヤ装置の再生演奏によって生成されるアナログ信号に基づいて制御されて、記録媒体から読み出されたディジタル音声データがアナログ音声となって出力される構成のディジタルオーディオ再生システムにおいて使用されるレコード盤であって、レコードプレーヤ装置に載置され回転されてピックアップ手段と摺動することによって演奏されると、その演奏でピックアップされる部位の位置、回転の方向及び回転の速さを示すためのアナログ信号が二つのチャンネルで生成するように音溝が形成されてなるレコード盤である。
【手続補正７】
【補正対象書類名】明細書
【補正対象項目名】００２３
【補正方法】変更
【補正の内容】
【００２３】
しかしながら、上述した構成のディジタル信号再生システムにおいて、再生演奏の際にレコードプレーヤ装置で針飛びが生じた場合にはピックアップ手段が演奏の部位を示すための信号の出力を一旦停止し、続いて針がレコード盤に降りて再生演奏が再開されるとピックアップ手段から演奏部位を示すための信号が出力され、この信号に基づいてディジタルオーディオ再生装置は結果的に記録媒体からのディジタルオーディオのデータをアナログ音声として出力させることになる。
この際、レコード盤からの演奏の部位を示すための信号は途中で途切れると、次に針が降りて再生演奏の再開で生成する信号は途切れる直前部分とは連続性のない部位に対応する信号になるので、針飛びの後に針が降りて摺動してピックアップする際の部位の位置を確実に検出するには、レコード盤のアナログ信号において少なくとも２フレーム分以上に相当する距離の摺動（ピックアップ）が必要になる。
【手続補正８】
【補正対象書類名】明細書
【補正対象項目名】００２４
【補正方法】変更
【補正の内容】
【００２４】
つまり、針飛びの後に針が降りたレコード盤上の部位はレコード盤のアナログ信号においてフレームの両端ではなく中間点に対応する点である場合が通常であって、その点から１フレーム分に対応する距離だけレコード盤とピックアップ手段が相対的に摺動することで隣接のフレームに対応する部位に到り、ここで初めて針が降りたレコード盤上の部位（フレーム対応部位）の位置を知ることができる。
しかしながら、ここで知り得た針が降りたレコード盤上の部位は、レコード盤のキズ、塵埃、外来ノイズ等によって、確かにその部位が実際に針が降りた部位であるという保証はない。
【手続補正９】
【補正対象書類名】明細書
【補正対象項目名】００２５
【補正方法】変更
【補正の内容】
【００２５】
そこで、検出された部位が実際に針が降りた部位であることを確実にする必要から、更にもう１フレーム分に対応する距離だけレコード盤とピックアップ手段が相対的に摺動させることによって、つまり、レコード盤のアナログ信号において連続２フレーム分に対応する摺動の位置を示す信号をピックアップすることによって、ピックアップ手段の摺動している部位の位置の検出を確実にさせることが可能になる。
【手続補正１０】
【補正対象書類名】明細書
【補正対象項目名】００３２
【補正方法】変更
【補正の内容】
【００３２】
斯かる構成により、ピックアップ手段とレコード盤の相対的な摺動によるレコード盤からの信号のピックアップでは、針飛びの後に針が降りた際に、１／２フレームに対応する分だけレコード盤から位置情報をピックアップすると針が降りたその部位を知ることができ、更に１／２フレームつまり合計で１フレーム分に対応するだけレコード盤から位置情報をピックアップすると、レコード盤のアナログ信号において各フレームが真中を中心に信号の配列が対称になる構成とさせたことによって、実質的に連続する２フレーム分に対応するレコード盤の位置情報を得ることになり、針が降りたその部位の位置情報を得る際に、その部位が正しくその位置であることの確からしさを確保することが可能になる。
又、レコード盤が逆回転した場合においても、同様にして実質的に連続する２フレーム分に対応するレコード盤の位置情報を得ることになり、ＣＰＵがその時のレコード盤の針の摺動の位置を知ることができる。
【手続補正１１】
【補正対象書類名】明細書
【補正対象項目名】００３３
【補正方法】変更
【補正の内容】
【００３３】
つまり、本願発明の詳細な構成の四は、レコードプレーヤ装置の再生演奏によって生成されるアナログ信号に基づいて制御されて、記録媒体から読み出されたディジタル音声データがアナログ音声となって出力される構成のディジタルオーディオ再生システムにおいて使用されるレコード盤であって、レコードプレーヤ装置に載置され回転されてピックアップ手段と摺動することによって演奏されると、その演奏でピックアップされる部位の位置、回転の方向及び回転の速さを示すためのアナログ信号が二つのチャンネルで生成するように音溝が形成されてなり、音溝によって生成されるアナログ信号の二つのチャンネルのうちいずれか一方に、記録媒体のディジタル音声データの最小再生単位に対応された時間的な長さにフレーム化された、ピックアップされる部位の位置を示す位置情報が配設され、且つ、その位置情報を示す信号が再生されて波形成形された際に、各フレームに対応する信号のデータにおいて真中を中心に折り返すと合致して重なり合うように構成されてなることを特徴とするレコード盤である。
又、その目的及び作用は、上述した通りである。
【手続補正１２】
【補正対象書類名】明細書
【補正対象項目名】００３５
【補正方法】変更
【補正の内容】
【００３５】
又、レコード盤に配設されるピックアップされる部位の位置を示すための情報が再生すべきディジタル記録媒体の各フレームに対応するその位置情報を示す信号の並びをそれぞれのフレームに対応するデータにおいて真中を中心に折り返すと合致して重なり合うように構成させたことにより、針飛びの後に針がレコード盤に降りた際に、１／２フレームに対応する分だけレコード盤から位置情報をピックアップすると針が降りたその部位を知ることができ、更に１／２フレームつまり合計で１フレーム分に対応するだけレコード盤から位置情報をピックアップすると、針が降りたその部位を得るがその際にその部位が正しくその位置であることの確からしさを確保することが可能になっており、又、レコード盤が逆方向に回転する場合であってもＣＰＵがその時のレコード盤の針の摺動の位置を知ることが可能である。